【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
ワイヤオアのデータ転送のための双方向データ・バスであって、
前記データ・バスの第１の端部に結合しており、前記データ・バスの前記第１端部を第１の信号で駆動するように構成した第１のエンド・ドライバと、および
前記データ・バスの第２の端部に結合しており、前記第１エンド・ドライバからの前記第１信号を動的に終了させるように構成した第２のエンド・ドライバと、
を備えた双方向データ・バス。
【請求項２】
請求項１記載の双方向データ・バスであって、前記第２エンド・ドライバは、前記データ・バスを第２の信号で駆動し、前記第１エンド・ドライバは、前記第２エンド・ドライバからの前記第２信号を動的に終了させること、を特徴とする双方向データ・バス。
【請求項３】
請求項２記載の双方向データ・バスであって、前記第１エンド・ドライバと前記第２エンド・ドライバとは、前記第１および第２の信号を同時に動的に終了させること、を特徴とする双方向データ・バス。
【請求項４】
請求項１記載の双方向データ・バスであって、さらに、前記データ・バスに結合しており前記データ・バスを第３の信号で駆動するように構成した第１のミッド・ドライバを含み、前記第１エンド・ドライバは、前記第３信号を動的に終了させること、を特徴とする双方向データ・バス。
【請求項５】
請求項４記載の双方向データ・バスであって、前記第２エンド・ドライバは、前記第３信号を動的に終了させること、を特徴とする双方向データ・バス。
【請求項６】
請求項４記載の双方向データ・バスであって、前記第１エンド・ドライバは、前記第１ミッド・ドライバからの前記第１信号の反射を動的に終了させること、を特徴とする双方向データ・バス。
【請求項７】
請求項４記載の双方向データ・バスであって、さらに、前記データ・バスに結合しており前記データ・バスを第４の信号で駆動するように構成した第２のミッド・ドライバを含み、前記第２エンド・ドライバは、前記第１ミッド・ドライバからの前記第４信号の反射を動的に終了させること、を特徴とする双方向データ・バス。
【請求項８】
請求項７記載の双方向データ・バスであって、前記第１エンド・ドライバは、前記第２ミッド・ドライバからの前記第３信号の反射を動的に終了させること、を特徴とする双方向データ・バス。
【請求項９】
データ信号を伝送するため特性インピーダンスをもつワイヤオア・データ・バスであって、
前記データ・バスの第１の端部に結合しており、前記特性インピーダンスの抵抗性の値を備えたプルアップ・トランジスタと、前記特性インピーダンスの抵抗性の値を備えたプルダウン・トランジスタとを有する第１のドライバと、および
前記データ・バスの第２の端部に結合しており、前記特性インピーダンスの抵抗性の値を備えたプルアップ・トランジスタと、前記特性インピーダンスの抵抗性の値を備えたプルダウン・トランジスタとを有する第２のドライバと、
を備えたワイヤオア・データ・バス。
【請求項１０】
請求項９記載のワイヤオア・データ・バスであって、
前記第１ドライバは、第１の信号を前記データ・バスに伝送するため、前記プルアップ・トランジスタを活性化することと前記プルダウン・トランジスタを活性化することとの間でスイッチングする資源を含み、
前記第２ドライバは、第２の信号を前記データ・バスに伝送するため、前記プルアップ・トランジスタを活性化することと前記プルダウン・トランジスタを活性化することとの間でスイッチングする資源を含むこと、
を特徴とするワイヤオア・データ・バス。
【請求項１１】
請求項９記載のワイヤオア・データ・バスであって、
前記第１ドライバは、前記データ・バスから受ける信号を動的に終了させてリンギングを防止し、
前記第２ドライバは、前記データ・バスから受ける信号を動的に終了させてリンギングを防止すること、
を特徴とするワイヤオア・データ・バス。
【請求項１２】
請求項１１記載のワイヤオア・データ・バスであって、さらに、前記データ・バスに前記第１ドライバと前記第２ドライバとの間で結合しており、前記データ・バスにミッド・ドライバ信号を発生するように構成したミッド・ドライバを含み、前記第１ドライバおよび前記第２ドライバは、前記ミッド・ドライバからの信号を動的に終了させてリンギングを防止すること、を特徴とするワイヤオア・データ・バス。
【請求項１３】
請求項１２記載のワイヤオア・データ・バスであって、さらに、前記データ・バスに前記ミッド・ドライバと前記第２ドライバとの間で結合しており、前記データ・バスに第２のミッド・ドライバ信号を発生するように構成した第２のミッド・ドライバを含み、前記第１ドライバおよび前記第２ドライバは、前記ミッド・ドライバおよび前記第２ミッド・ドライバからの信号を動的に終了させてリンギングを防止すること、を特徴とするワイヤオア・データ・バス。
【請求項１４】
請求項１２記載のワイヤオア・データ・バスであって、前記ミッド・ドライバは、前記データ・バスとグランドとの間に結合したプルダウン・トランジスタを含み、前記第２ミッド・ドライバは、前記データ・バスとグランドとの間に結合したプルダウン・トランジスタを含むこと、を特徴とするワイヤオア・データ・バス。
【請求項１５】
請求項１４記載のワイヤオア・データ・バスであって、前記データ・バス上に立ち上りパルスを発生するため、前記ミッド・ドライバは、前記データ・バスと電源との間に結合したプルアップ・トランジスタを含み、前記第２ミッド・ドライバは、前記データ・バスと電源との間に結合したプルアップ・トランジスタを含むこと、を特徴とするワイヤオア・データ・バス。
【請求項１６】
データを第１のコンピュータと第２のコンピュータとの間で転送するための双方向データ・バスを有するコンピュータ・システムであって、
前記第１コンピュータの前記データ・バスの第１の端部に結合しており、前記データ・バスの前記第１端部を第１の信号で駆動するように構成した第１のドライバと、および
前記第２コンピュータの前記データ・バスの第２の端部に結合しており、前記第１ドライバからの前記第１信号を動的に終了させるように構成した第２のドライバと、
を備えたコンピュータ・システム。
【請求項１７】
請求項１６記載のコンピュータ・システムであって、前記第２ドライバは、前記データ・バスを第２の信号で駆動し、前記第１エンド・ドライバは、前記第２エンド・ドライバからの前記第２信号を動的に終了させること、を特徴とするコンピュータ・システム。
【請求項１８】
請求項１７記載のコンピュータ・システムであって、前記第１エンド・ドライバと前記第２エンド・ドライバとは、前記第１および第２の信号を同時に動的に終了させること、を特徴とするコンピュータ・システム。
【請求項１９】
請求項１６記載のコンピュータ・システムであって、さらに、前記データ・バスの前記第１端部と前記第２端部との間に結合しており前記データ・バスを第３の信号で駆動するように構成した第１のミッド・ドライバを含み、前記第１エンド・ドライバおよび前記第２エンド・ドライバは、前記第３信号を動的に終了させること、を特徴とするコンピュータ・システム。
【請求項２０】
請求項１９記載のコンピュータ・システムであって、さらに、前記データ・バスの前記第１ミッド・ドライバと前記第２端部との間に結合しており前記データ・バスを第４の信号で駆動するように構成した第２のミッド・ドライバを含み、前記第１エンド・ドライバおよび前記第２エンド・ドライバは、前記第３信号および前記第４信号を動的に終了させること、を特徴とするコンピュータ・システム。